(57)【要約】【課題】安価な構成で、ねじの脱落を防止する。【解決手段】金属パネル１に対し、ねじ取り付け位置１１の略鉛直方向下側に一体に延設された板部材と、板部材がねじ３の取り外し方向側に折り返されて構成された略コの字型の折り返し部５１と、金属パネル１のねじ取り付け位置１１から折り返し部５１の底面５３に沿って、当該ねじ３の軸３２より大きく頭３１より小さい幅に形成されたスリット５４とを備え、折り返し部５１の先端側壁面５２は、ねじ３が取り外された際に当該ねじ３の頭３１と当接することで、ドライバー４から当該ねじ３を外し、スリット５４は、折り返し部５１の先端側壁面５２によりねじ３が外れた際に当該ねじ３の先端側と係合した状態にあることで、当該ねじ３を金属パネル１から折り返し部５１の底面５３側にスライドさせる。【選択図】図１
2014020406.tif 000002
【特許請求の範囲】
【請求項１】
略鉛直に配置されねじにより固定された被固定部材から、ドライバーにより当該ねじが取り外される際に、当該ねじの脱落を防止するねじ脱落防止構造において、
前記被固定部材に対し、前記ねじの取り付け位置の略鉛直方向下側に一体に延設された板部材と、
前記板部材が前記ねじの取り外し方向側に折り返されて構成された略コの字型の折り返し部と、
前記被固定部材の前記ねじの取り付け位置から前記折り返し部の底面に沿って、当該ねじの軸より大きく頭より小さい幅に形成されたスリットとを備え、
前記折り返し部の先端側壁面は、前記ねじが取り外された際に当該ねじの頭と当接することで、前記ドライバーから当該ねじを外し、
前記スリットは、前記折り返し部の先端側壁面により前記ねじが外れた際に当該ねじの先端側と係合した状態にあることで、当該ねじを前記被固定部材から前記折り返し部の底面側にスライドさせる
ことを特徴とするねじ脱落防止構造。
【請求項２】
前記被固定部材は板金部材である
ことを特徴とする請求項１記載のねじ脱落防止構造。
【請求項３】
前記折り返し部の先端側壁面には、前記ねじが取り外される際に前記ドライバーと当接する部分に窪みが設けられた
ことを特徴とする請求項１または請求項２記載のねじ脱落防止構造。
【請求項４】
前記折り返し部の先端側壁面には、前記ねじが取り外される際に前記ドライバーが挿入される部分に貫通孔が設けられた
ことを特徴とする請求項１または請求項２記載のねじ脱落防止構造。
【請求項５】
前記折り返し部の先端側壁面は、前記ねじが取り外される際に前記ドライバーと当接することで生じる当該ドライバーの挿入角度が取り外し作業に影響のない角度となる高さである
ことを特徴とする請求項１から請求項３のうちのいずれか１項記載のねじ脱落防止構造。
【請求項６】
略鉛直に配置された被固定部材を固定するねじと、ドライバーにより当該被固定部材から当該ねじが取り外される際に、当該ねじの脱落を防止するねじ脱落防止構造とを備えたねじ脱落防止ユニットにおいて、
前記ねじ脱落防止構造は、
前記被固定部材に対し、前記ねじの取り付け位置の略鉛直方向下側に一体に延設された板部材と、
前記板部材が前記ねじの取り外し方向側に折り返されて構成された略コの字型の折り返し部と、
前記被固定部材の前記ねじの取り付け位置から前記折り返し部の底面に沿って、当該ねじの軸より大きく頭より小さい幅に形成されたスリットとを備え、
前記折り返し部の先端側壁面は、前記ねじが取り外された際に当該ねじの頭と当接することで、前記ドライバーから当該ねじを外し、
前記スリットは、前記折り返し部の先端側壁面により前記ねじが外れた際に当該ねじの先端側と係合した状態にあることで、当該ねじを前記被固定部材から前記折り返し部の底面側にスライドさせる
ことを特徴とするねじ脱落防止ユニット。
【請求項７】
前記ねじはバインドねじまたはトラスねじである
ことを特徴とする請求項６記載のねじ脱落防止ユニット。
【発明の詳細な説明】
【技術分野】
【０００１】
この発明は、被固定部材からねじが取り外される際に、当該ねじの脱落を防止するねじ脱落防止構造およびねじ脱落防止ユニットに関するものである。
【背景技術】
【０００２】
従来から、ねじにより固定された被固定部材から、ドライバーにより当該ねじが取り外される際に、当該ねじの脱落を防止する構造について多数知られている（例えば特許文献１，２参照）。
【０００３】
特許文献１に開示された構造では、金属製ボスに設けられた漏斗状案内部に、プラスチック製構造物（被固定部材）の取付面側に突設されたねじ仮固定部を挿入する。そして、円筒部より大きな外径のねじ部を有する固定用ねじを、プラスチック製構造物の挿入孔を介して金属製ボスのねじ穴に螺合する。これにより、ねじ仮固定部が塑性変形して固定用ねじの円筒部を仮固定するため、固定用ねじを金属製ボスから取り外した後もプラスチック製構造物からは分離せず、ねじの脱落による紛失を防止することができる。
【０００４】
また、特許文献２に開示された構造では、ドライバーが本体内部に挿入された際に当該ドライバーと弾性的に係合するアーム部を有する有底筒状部材を用い、被固定部材に対するねじの取り付け・取り外しを行う。ここで、アーム部は、本体内部に挿入されたねじが外部へ脱落することを防止するストッパーとして機能する。これにより、取り付け・取り外しの最中にねじがドライバーから外れてしまった場合であっても、ねじが有底筒状部材から脱落することはなく、紛失を防止することができる。
【先行技術文献】
【特許文献】
【０００５】
【特許文献１】実開平０５−００１０１１号公報
【特許文献２】特開２０１０−１９６７５９号公報
【発明の概要】
【発明が解決しようとする課題】
【０００６】
一方、金属パネル（板金部材）が壁面に取り付けられる製品では、ねじの脱落可能性が高い。特にパネル内部に取り付けられる製品では、内部に複雑な配線がされているため、ねじの脱落・紛失や、それに伴ってねじが電気部品と接触してショートするなどの問題が生じる恐れがある。
さらに、このような製品の取り付けでは、錆の発生を防止するためにステンレス製のねじを使用している。そのため、ねじに着磁性がない場合が多く、ねじの脱落による紛失の可能性が特に高くなる。
【０００７】
それに対して、特許文献１に開示された構造では、プラスチック製構造物の弾性を利用してねじの脱落・紛失を防止している。そのため、板金部材には適用することができないという課題がある。また、プラスチック製構造物との分離を防止するために特殊なねじを用いる必要があり、コストがかかるという課題もある。
また、特許文献２に開示された構造では、被固定部材とは別体である有底筒状部材を用いてねじの取り付け・取り外しを行っている。そのため、部品追加による作業性への影響やコストがかかるという課題がある。
【０００８】
この発明は、上記のような課題を解決するためになされたもので、安価な構成で、ねじの脱落を防止することができるねじ脱落防止構造およびそのねじ脱落防止ユニットを提供することを目的としている。
【課題を解決するための手段】
【０００９】
この発明に係るねじ脱落防止構造は、被固定部材に対し、ねじの取り付け位置の略鉛直方向下側に一体に延設された板部材と、板部材がねじの取り外し方向側に折り返されて構成された略コの字型の折り返し部と、被固定部材のねじの取り付け位置から折り返し部の底面に沿って、当該ねじの軸より大きく頭より小さい幅に形成されたスリットとを備え、折り返し部の先端側壁面は、ねじが取り外された際に当該ねじの頭と当接することで、ドライバーから当該ねじを外し、スリットは、折り返し部の先端側壁面によりねじが外れた際に当該ねじの先端側と係合した状態にあることで、当該ねじを被固定部材から折り返し部の底面側にスライドさせるものである。
【発明の効果】
【００１０】
この発明によれば、上記のように構成したので、安価な構成で、ねじの脱落を防止することができる。
【図面の簡単な説明】
【００１１】
【図１】この発明の実施の形態１に係るねじ脱落防止ユニットの構成を示す図である。
【図２】この発明の実施の形態１に係るねじ脱落防止構造による効果を示す図である。
【図３】この発明の実施の形態１における折り返し部の別の構成を示す図である。
【図４】この発明の実施の形態１における折り返し部のさらに別の構成を示す図である。
【発明を実施するための形態】
【００１２】
以下、この発明の実施の形態について図面を参照しながら詳細に説明する。
実施の形態１．
図１はこの発明の実施の形態１に係るねじ脱落防止ユニットの構成を示す図であり、（ａ）上面図であり、（ｂ）正面図であり、（ｃ）（ｂ）のＡ−Ａ線側断面図である。
このねじ脱落防止ユニットは、図１に示すように、略鉛直に配置された金属パネル１を壁面２（図２参照）に固定するねじ３と、ドライバー４（図２（ａ）参照）により当該金属パネル１からねじ３が取り外される際に、当該ねじ３の脱落を防止するねじ脱落防止構造５とを備えたものである。
なお、金属パネル１の固定に用いるねじ３は、錆の発生を防止するためにステンレス製のねじを用いることを想定しているが、これに限るものではない。また、ねじ脱落防止構造５は、金属パネル１のねじ３の取り付け位置（ねじ取り付け位置１１）の略鉛直方向下側に一体に延設された板金部材を用いて構成される。
【００１３】
このねじ脱落防止構造５には、図１に示すように、上記板金部材がねじ３の取り外し方向側に折り返されて構成された略コの字型の折り返し部５１が設けられている。この折り返し部５１の先端側壁面５２は、ドライバー４により金属パネル１からねじ３が取り外された際に当該ねじ３の頭３１と当接することで、ドライバー４から当該ねじ３を外すものである（図２（ｂ）参照）。
【００１４】
また、ねじ脱落防止構造５には、金属パネル１のねじ取り付け位置１１から折り返し部５１の底面５３に沿って、スリット５４が形成されている。このスリット５４は、折り返し部５１の先端側壁面５２によりドライバー４からねじ３が外れた際に、当該ねじ３の先端側と係合した状態にあることで、ねじ３をガイドするものである。このスリット５４の幅は、ねじ３の軸３２より大きくかつ頭３１より小さく構成されている。これにより、スリット５４に沿って金属パネル１上から折り返し部５１の底面５３側にスライドされたねじ３を、当該底面５３上で保持することができる。
【００１５】
ここで、金属パネル１からねじ３を取り外すためにドライバー４を挿入する際、折り返し部５１の先端側壁面５２の存在により、ドライバー４を傾けて挿入する必要がある（図２（ａ）参照）。そのため、先端側壁面５２は、ドライバー４の挿入角度がねじ３の取り外し作業にさほど影響を与えることがなく、かつ、ねじ３が取り外された際に当該ねじ３の頭３１と当接することでドライバー４から当該ねじ３を外すことができる高さに設計されている。
例えば、ドライバー４として、ＪＩＳにより規格される１番〜３番のドライバーのうち一般的な２番のドライバーを用いた場合（軸径６ｍｍ）、ドライバー４の挿入角度がねじ穴２１の軸方向に対しておよそ５°以内であれば、ねじ３の取り外し作業に影響はないと考えられる。また、ねじ３として、バインドねじやトラスねじ等の頭３１の直径の大きいねじ３を用いることで、ドライバー４の挿入角度の傾きを抑えることができる。
【００１６】
また、折り返し部５１の底面５３は、折り返し部５１の先端側壁面５２によりドライバー４からねじ３が外れた際に、ねじ３の先端側がスリット５４に係合した状態であり、ねじ３をこのスリット５４に沿って金属パネル１のねじ取り付け位置１１から折り返し部５１の底面５３側へスライドさせることができる長さに設計されている。
【００１７】
次に、上記のように構成されたねじ脱落防止構造５による効果について、図２を参照しながら説明する。図２はこの発明の実施の形態１に係るねじ脱落防止構造５による効果を示す図（図１（ｂ）のＡ−Ａ線断面図）であり、（ａ）ドライバー挿入状態を示す図であり、（ｂ）ねじ固定解除状態を示す図であり、（ｃ）ねじスライド・保持状態を示す図である。
【００１８】
作業者が、壁面２に固定された金属パネル１からねじ３を取り外す場合、まず、図２（ａ）に破線で示すように、ドライバー４をねじ３の十字穴３３に嵌め込む。この際、折り返し部５１の先端側壁面５２の存在により、ドライバー４を若干傾けて挿入する必要があるが、この傾きは作業性には影響が出ない程度に調整されているため、ねじ３の取り外しを行うことが可能である。
【００１９】
次いで、ねじ３を取り外す。そして、図２（ｂ）に示すように、ねじ３が壁面２のねじ穴２１から取り外された後、ねじ３の頭３１が折り返し部５１の先端側壁面５２と当接することで、ドライバー４からねじ３が外れる。
【００２０】
次いで、図２（ｃ）に点線で示すように、ドライバー４から外れたねじ３の先端側が、スリット５４に沿って金属パネル１のねじ取り付け位置１１から折り返し部５１の底面５３側にスライドし、その後鉛直方向下側に落ちる。そして、ねじ３の頭３１が折り返し部５１の底面５３上に保持される。これにより、ねじ３の脱落・紛失を防止することができる。
【００２１】
以上のように、この実施の形態１によれば、金属パネル１からねじ３が取り外された際に、折り返し部５１の先端側壁面５２にねじ３の頭３１を当接させてドライバー４からねじ３を外し、この際にねじ３の先端側と係合しているスリット５４に沿ってねじ３を金属パネル１から折り返し部５１の底面５３側にスライドさせ、その面上で保持させるように構成したので、ねじ３が取り外された後にねじ３が所定位置で保持することができ、ねじ３の脱落を防止し、その紛失を防止することができる。また、ねじ脱落防止構造５は金属パネル（板金部材）１の曲げ加工のみで構成できるため、コストを抑えることができる。さらに、ねじ脱落防止構造５を金属パネル１と一体に構成することで、部品追加がなく、作業性に影響を与えることがない。
【００２２】
なお、実施の形態１では、図２（ａ）に示すように、ドライバー４を挿入する際に、折り返し部５１の先端側壁面５２の存在により、若干傾けて挿入する必要がある場合について示した。それに対して、例えば、図３に示すように、先端側壁面５２のドライバー４との当接部分に窪み５５を設けるようにしてもよい。これにより、ドライバー４の挿入角度の傾きを抑えあるいは無くすことができる。また、図４に示すように、先端側壁面５２の高さを高くし、当該先端側壁面５２上のドライバー４の挿入部分に貫通孔５６を設けるようにしてもよい。これにより、ドライバー４の挿入角度の傾きを無くすことができる。
【００２３】
また、実施の形態１では、被固定部材が金属パネル（板金部材）１である場合について説明を行ったが、これに限るものではなく、その他の材質の部材に対しても同様に適用可能である。
【００２４】
また、本願発明はその発明の範囲内において、実施の形態の任意の構成要素の変形、もしくは実施の形態の任意の構成要素の省略が可能である。
【符号の説明】
【００２５】
１  金属パネル（板金部材）
２  壁面
３  ねじ
４  ドライバー
５  ねじ脱落防止構造
１１  ねじ取り付け位置
２１  ねじ穴
３１  頭
３２  軸
３３  十字穴
５１  折り返し部
５２  先端側壁面
５３  底面
５４  スリット
５５  窪み
５６  貫通孔
【図１】
2014020406.tif 000003
【図２】
2014020406.tif 000004
【図３】
2014020406.tif 000005
【図４】
2014020406.tif 000006